(57)【要約】【課題】  部品点数を低減させたり、製造効率を向上させ、コスト低減を図れる電子機器を提供すること。【解決手段】  蓋体である入力操作板５に、この入力操作板５が本体である表示装置２に向き合わされた閉状態で表示装置２との間に介在される緩衝用のゴム部材９１が設けられており、そのゴム部材９１は透光性を有し、入力操作板５におけるゴム部材９１の設置個所の内方に発光素子９４が内蔵され、入力操作板５が表示装置２に向き合わされた開状態で発光素子９４が発光すると、ゴム部材９１を通して発光素子９４の発光が入力操作板５の外部に導出される。【選択図】        図１５
2005084724.tif 000002
【特許請求の範囲】
【請求項１】
本体に対して蓋体が開閉自在に連結された電子機器であって、
前記本体と前記蓋体とが向き合わされた閉状態で前記本体と前記蓋体との間に介在されるように、前記本体と前記蓋体の少なくともどちらか一方に設けられる透光性を有するゴム部材と、
前記ゴム部材の設置個所の内方に内蔵される発光素子とを備えている
ことを特徴とする電子機器。
【請求項２】
前記ゴム部材の裏面において前記発光素子に対向する部分には、前記発光素子に向けて突出する導光部が形成されている
ことを特徴とする請求項１に記載の電子機器。
【請求項３】
本体に対して蓋体が開閉自在に連結された電子機器であって、
前記蓋体が前記本体に向き合わされた閉状態では外部に露出され、前記閉位置から前記蓋体が設置面側に回動されると前記設置面に接触される前記蓋体の外表面に設けられる透光性を有するゴム部材と、
前記ゴム部材の設置個所の内方に内蔵される発光素子とを備えている
ことを特徴とする電子機器。
【請求項４】
前記ゴム部材の裏面において前記発光素子に対向する部分には、前記発光素子に向けて突出する導光部が形成されている
ことを特徴とする請求項３に記載の電子機器。
【請求項５】
本体に対して蓋体が開閉自在に連結された電子機器であって、
前記蓋体が前記本体に向き合わされた閉状態では外部に露出され、前記閉位置から前記蓋体が設置面側に回動されると前記設置面に接触される前記蓋体の外表面に設けられる透光性を有する第１のゴム部材と、
前記本体に向き合わされる前記蓋体の内表面に設けられる透光性を有する第２のゴム部材と、
前記第１のゴム部材に発光部を向けて前記第１のゴム部材の設置個所の内方に内蔵される第１の発光素子と、
前記第２のゴム部材に発光部を向けて前記第２のゴム部材の設置個所の内方に内蔵される第２の発光素子とを備えている
ことを特徴とする電子機器。
【請求項６】
前記第１のゴム部材と前記第２のゴム部材とは、互いに表裏対応する位置に設けられている
ことを特徴とする請求項５に記載の電子機器。
【請求項７】
前記第１のゴム部材の裏面において前記第１の発光素子に対向する部分には、前記第１の発光素子に向けて突出する導光部が形成されている
ことを特徴とする請求項５に記載の電子機器。
【請求項８】
前記第２のゴム部材の裏面において前記第２の発光素子に対向する部分には、前記第２の発光素子に向けて突出する導光部が形成されている
ことを特徴とする請求項５に記載の電子機器。
【発明の詳細な説明】
【技術分野】
【０００１】
本発明は、本体に対して蓋体が開閉自在に連結された電子機器に関し、更に詳しくは、緩衝用のゴム部材と、電源ランプなどの表示部とを同一箇所に配置させた電子機器に関する。
【背景技術】
【０００２】
従来より、本体に対して蓋体が開閉自在に連結された電子機器において、閉じられた状態で他方に向き合わされる面に、電源ランプや、バッテリの消耗状態を知らせるランプ、その他各種のメッセージランプを備えたものがある。例えば、特許文献１参照。
【特許文献１】特開２０００−２０１６４号公報
【０００３】
また、本体と蓋体とが開閉される電子機器にあっては、閉じられた際の両者の衝突衝撃を緩和するために、向き合わされる面にゴム部材が設けられているのが一般的である。
【発明の開示】
【発明が解決しようとする課題】
【０００４】
従来は、上記表示部と緩衝用のゴム部材とはそれぞれ別々の箇所に設けられているため、部品点数の増大をきたしたり、組み立て作業が煩雑になってしまうという問題があった。
【０００５】
本発明は上述の問題に鑑みてなされ、その目的とするところは、部品点数を低減させたり、製造効率を向上させ、コスト低減を図れる電子機器を提供することにある。
【課題を解決するための手段】
【０００６】
本発明の電子機器は、本体と蓋体とが向き合わされた閉状態で本体と蓋体との間に介在されるように、本体と蓋体の少なくともどちらか一方に設けられる透光性を有するゴム部材と、このゴム部材の設置個所の内方に内蔵される発光素子とを備えていることを特徴としている。
【０００７】
また、本発明の電子機器は、蓋体が本体に向き合わされた閉状態では外部に露出され、その閉位置から蓋体が設置面側に回動されると設置面に接触される蓋体の外表面に設けられる透光性を有するゴム部材と、このゴム部材の設置個所の内方に内蔵される発光素子とを備えていることを特徴としている。
【０００８】
このような本発明では、蓋体と本体との衝突緩衝用、あるいは蓋体と設置面との衝突緩衝用のゴム部材に透光性を持たせ、そのゴム部材を発光素子の内蔵箇所に被せることによって、本体と蓋体とが合わされたとき、あるいは蓋体が設置面上に降ろされたときの衝突衝撃を緩和できると共に、発光素子からの光をゴム部材を通して本体あるいは蓋体の外部に導出できる。
【０００９】
発光素子内蔵箇所には、ほこりや水分などから発光素子を保護するため、透明あるいは半透明の保護部材が被せられる必要があるが、上記緩衝用のゴム部材をその保護部材として兼用させることで、部品点数を低減でき、更に組み立て作業も容易になる。
【００１０】
また、ゴム部材の裏面における発光素子に対向する部分に、発光素子に向けて突出する導光部を形成すれば、その導光部によって発光素子からの光の拡がりを抑えて、ゴム部材表面上における所望の位置に発光素子からの光を収束させることができる。
【００１１】
また、本発明の電子機器は、蓋体が本体に向き合わされた閉状態では外部に露出され、その閉位置から蓋体が設置面側に回動されると設置面に接触される蓋体の外表面に設けられる透光性を有する第１のゴム部材と、本体と向き合わされる蓋体の内表面に設けられる透光性を有する第２のゴム部材と、第１のゴム部材に発光部を向けて第１のゴム部材の設置個所の内方に内蔵される第１の発光素子と、第２のゴム部材に発光部を向けて第２のゴム部材の設置個所の内方に内蔵される第２の発光素子とを備えていることを特徴としている。
【００１２】
このような本発明では、蓋体と設置面との衝突緩衝用の第１のゴム部材、及び蓋体と本体との衝突緩衝用の第２のゴム部材に透光性を持たせ、それぞれ第１のゴム部材を第１の発光素子の内蔵箇所に、第２のゴム部材を第２の発光素子の内蔵箇所に被せることによって、本体と蓋体とが合わされたときには第２のゴム部材によって両者の衝突衝撃を緩和でき、蓋体が設置面上に降ろされたときには第１のゴム部材によって両者の衝突衝撃を緩和でき、なおかつ、第１の発光素子からの光は第１のゴム部材を通して蓋体の外表面から外部に導出でき、第２の発光素子からの光は第２のゴム部材を通して蓋体の内表面から外部に導出できる。
【００１３】
第１、第２の発光素子内蔵箇所には、ほこりや水分などからそれら発光素子を保護するため、透明あるいは半透明の保護部材が被せられる必要があるが、上記緩衝用の第１、第２のゴム部材をその保護部材として兼用させることで、部品点数を低減でき、更に組み立て作業も容易になる。
【００１４】
また、第１及び第２のゴム部材を蓋体における表裏対応する位置に設けることで、第１の発光素子及び第２の発光素子を１つの共通の配線基板の表裏面にそれぞれ実装させることができ、更なる部品点数の低減が図れる。また、上記配線基板を共通化できれば配線基板設置のためのスペースも省スペース化できる。
【００１５】
また、第１のゴム部材の裏面における第１の発光素子に対向する部分に、第１の発光素子に向けて突出する導光部を形成すれば、その導光部によって第１の発光素子からの光の拡がりを抑えて、第１のゴム部材表面上における所望の位置に第１の発光素子からの光を収束させることができる。
【００１６】
また、第２のゴム部材の裏面における第２の発光素子に対向する部分に、第２の発光素子に向けて突出する導光部を形成すれば、その導光部によって第２の発光素子からの光の拡がりを抑えて、第２のゴム部材表面上における所望の位置に第２の発光素子からの光を収束させることができる。
【発明の効果】
【００１７】
本発明の電子機器によれば、本体と蓋体の少なくともどちらか一方には、本体と蓋体とが向き合わされた閉状態で本体と蓋体との間に介在されるゴム部材が設けられており、本体または蓋体におけるゴム部材の設置個所の内方に発光素子を内蔵させたので、そのゴム部材を、発光素子のほこりや水分からの保護部材として、且つ緩衝部材として兼用させることができ、部品点数の増大を抑えて、更に組み立て作業も容易になる。この結果コスト低減が図れる。また、ゴム部材は透光性を有するので、発光素子からの光の外部への導出が遮られることはない。
【００１８】
また、本発明の電子機器によれば、蓋体が本体に向き合わされた閉状態では外部に露出し、閉位置から蓋体が設置面側に回動すると設置面に接触する蓋体の外表面にゴム部材が設けられており、蓋体におけるゴム部材の設置個所の内方に発光素子を内蔵させたので、そのゴム部材を、発光素子のほこりや水分からの保護部材として、且つ緩衝部材として兼用させることができ、部品点数の増大を抑えて、更に組み立て作業も容易になる。この結果コスト低減が図れる。また、ゴム部材は透光性を有するので、発光素子からの光の外部への導出が遮られることはない。
【００１９】
また、本発明の電子機器によれば、蓋体が本体に向き合わされた閉状態では外部に露出され、その閉位置から蓋体が設置面側に回動されると設置面に接触される蓋体の外表面に第１のゴム部材が設けられ、本体と向き合わされる蓋体の内表面に第２のゴム部材が設けられ、第１のゴム部材の設置個所の内方に第１の発光素子を内蔵させ、第２のゴム部材の設置個所の内方に第２の発光素子を内蔵させたので、第１、第２のゴム部材を、第１、第２の発光素子のほこりや水分からの保護部材として、且つ緩衝部材として兼用させることができ、部品点数の増大を抑えて、更に組み立て作業も容易になる。この結果コスト低減が図れる。また、第１、第２のゴム部材は透光性を有するので、第１、第２の発光素子からの光の外部への導出が遮られることはない。
【発明を実施するための最良の形態】
【００２０】
（電子機器の構成）
図１〜図４は本実施形態に係る電子機器１の外観図を示す。電子機器１は、表示装置２と、この表示装置２を立たせた姿勢で支持する支持部材３と、表示装置２に対して回動自在に連結された入力操作板５とから主として構成される。入力操作板５は、本体である表示装置２に対して開閉される蓋体としても機能する。
【００２１】
図１〜図３に示される状態は入力操作板５が表示画面６の前方に展開された開位置をとっている状態である。図４に示される状態は入力操作板５が表示画面６を覆っている閉位置をとっている状態である。
【００２２】
図１０は、表示装置２から取り外された入力操作板５の斜視図を示す。図１１は図１０から筐体７を取り除いた図である。入力操作板５は、いわゆるキーボードであるが、キー８の他に、電源ボタンなどの各種操作ボタン、更には、タッチパッドやクリックボタンなどを備えていてもよい。
【００２３】
入力操作板５の後端部９ａ、９ｂ側の後部は鉤状に曲げられている。具体的には、入力操作板５の後部は湾曲させられて、後端部９ａ、９ｂが入力操作板５の内表面に向き合うように折り返されている。これにより、入力操作板５には、内表面側に湾曲して立ち上げられた後壁部１２が形成される。
【００２４】
後端部９ａと後端部９ｂとの間には切欠き１０が形成されている。この切欠き１０は、図３に示すように表示装置２の背面側の下部中央に出っ張って形成されたバッテリ収納部１１との干渉を防ぐために形成されている。
【００２５】
後端部９ａ、９ｂにはそれぞれにヒンジ部材１３が取り付けられている。具体的には、図１１に示すように、入力操作板５の左右の側部には、後部が鉤状に湾曲した帯状の板金１４が配設されており、この板金１４の後端部にヒンジ部材１３が取り付けられている。板金１４の後部と筐体７の後部との湾曲程度は同じである。
【００２６】
ヒンジ部材１３は、入力操作板５への取付部である第１取付部１５と、この第１取付部１５に一体的に固定されている円筒部１６と、この円筒部１６に対して回動自在に連結され、表示装置２側への取付部である第２取付部部１７とから構成される。第２取付部１７は、図１２に示すように、円筒部１６の外に突出している板状部１８と、この板状部１８に一体的に接続し円筒部１６内に回動自在に嵌合している円柱部１９とからなる。
【００２７】
第１取付部１５は、図１２に示すように、板金１４の後端部に形成されたピン２０によって位置決めされたうえで、３つの貫通孔２１ａ〜２１ｃを通じて板金１４の後端部に締結されるねじによって板金１４の後端部に固定される。
【００２８】
上記入力操作板５はその後端部９ａ、９ｂに取り付けられたヒンジ部材１３を介して、表示装置２の背面に連結される。表示装置２の背面において、入力操作板５との連結箇所である下端部寄りの部分には、図１３に示すように、ヒンジ取付ブロック２２が固定されている。
【００２９】
ヒンジ取付ブロック２２の表面には、表示装置２の横幅方向に沿って凹部２３が形成され、この凹部２３のほぼ中央に位置決めピン２４が突設され、この位置決めピン２４の左右両側にねじ孔２５があけられている。
【００３０】
上述したヒンジ部材１３の板状部１８は、その中央に形成された貫通孔８５ａ（図１２参照）に、図１４に示すように位置決めピン２４が通されて位置決めされたうえでヒンジ取付ブロック２２の凹部２３に嵌められる。板状部１８の貫通孔８５ｂ（図１２参照）とヒンジ取付ブロック２２のねじ孔２５（図１３参照）も位置合わせされ、図１４に示すように貫通孔８５ｂを通してねじ孔２５にねじが締結されることで板状部１８がヒンジ取付ブロック２２に固定される。
【００３１】
これにより、ヒンジ部材１３を介して入力操作板５が表示装置２の背面に連結される。板状部１８に一体的な円柱部１９（図１２参照）に対して円筒部１６が回動することで、入力操作板５は表示装置２に対して回動する。
【００３２】
図１、図４に示すように、表示装置２の上下左右の４つの端部を囲むようにして角リング状の枠部材６６が取り付けられている。枠部材６６の左右の側部６７はそれぞれ表示装置２の左右の側端部に沿って延在して、その側端部に固定されている。枠部材６６の側部６７の上端部及び下端部は表示装置２の側端部から延出し、側部６７の上端部には表示装置２の上端部に沿って延在する上部６８が連結され、側部６７の下端部には表示装置２の下端部に沿って延在する下部６９が連結されている。
【００３３】
枠部材６６の上部６８と、表示装置２の上端部との間には間隙が形成され、その間隙に手を差し入れて枠部材６６の上部６８を把持することで電子機器１を持ち運ぶことができる。
【００３４】
枠部材６６の下部６９と、表示装置２の下端部との間にも間隙が形成され、この間隙は後述するように入力操作板５の開閉動作を許容する。
【００３５】
表示装置２の周囲を枠部材６６が取り囲んでいることによって、持ち運び時に表示装置２の上下左右の端部が家具や壁などに直接ぶつかってしまうことを防げ、枠部材６６は表示装置２に加わる衝撃を緩和する防護部材としても機能する。
【００３６】
表示装置２は以下に説明する支持部材３によって支えられる。
【００３７】
図３に示すように、支持部材３は略四角い枠状を呈し、ヒンジ７３（図５、１３参照）を介して表示装置２に対して回動自在に連結されている。支持部材３は、枠状になっているので、表示装置２背面の下部に設けられたコネクタ６４を隠さず、よってコネクタ６４に対する各種ケーブルや端子の抜き差しに際して障害とならない。
【００３８】
表示装置２は、図２に示すように、支持部材３と、上述した枠部材６６の下部６９とによって、湾曲した下端部が設置面上から浮いた状態で設置面上に支持される。
【００３９】
表示装置２は立った姿勢でもって設置面上に支持される。ここで、立った姿勢とは垂直に立った姿勢に限らず、表示装置２の上端部側が後方に少し倒れた傾斜姿勢も含む。表示装置２の前方にいる使用者がその視線の方向に表示画面６を見ることができる姿勢であればよい。
【００４０】
表示装置２に対する支持部材３の回動角度を調整して、支持部材３と、枠部材６６の下部６９との開き角度を調整することで、表示装置２の傾き具合を調整でき、使用者が表示画面６を視認するのに最適な角度に調整可能である。
【００４１】
上記電子機器１には、図１に示すように、入力操作板５の内表面において前端部寄りの縁部の中央に第２のゴム部材９１が設けられている。更に、この第２のゴム部材９１の設置箇所の裏側に対応する位置にも、図４に示すように第１のゴム部材９２が設けられている。
【００４２】
第２のゴム部材９１は例えばシリコンゴムやポリウレタンゴムなどの透光性を有するゴム材料からなり乳白色をしている。また、第２のゴム部材９１の裏面には、図１５に示すように、３つの導光部９１ａが一体的に形成されている。
【００４３】
第１のゴム部材９２も例えばシリコンゴムやポリウレタンゴムなどの透光性を有するゴム材料からなり乳白色をしている。また、第１のゴム部材９２の裏面には、図１５に示すように、３つの導光部９２ａ及び２つの爪部９２ｂが一体的に形成されている。爪部９２ｂは導光部９２ａと導光部９２ａとの間に位置されている。
【００４４】
図１６は第２のゴム部材９１が取り付けられる箇所の拡大図を示す（第２のゴム部材９１は取り外された状態）。入力操作板５の内表面において前端部近傍には、横方向に沿って延在する細長い凹部９６が形成され、その凹部９６の底面には３個の貫通孔９７が形成されている。
【００４５】
図１７は第１のゴム部材９２が取り付けられる箇所の拡大図を示す（第１のゴム部材９２は取り外された状態）。入力操作板５の外表面において前端部近傍には、横方向に沿って延在する細長い貫通孔９８が形成され、その貫通孔９８内にはゴム部材取付板９９が配設されている。ゴム部材取付板９９には、２個の係合孔９９ｂと、３個の貫通孔９９ａが形成されている。
【００４６】
上述した凹部９６と貫通孔９８との間の入力操作板５内部の構造を図１５に示す。凹部９６と貫通孔９８との間には、例えば発光ダイオードである発光素子９４を実装した配線基板９３が内蔵されている。発光素子９４は配線基板９３の片面に３個ずつ実装され、両面で合わせて６個実装されている。
【００４７】
配線基板９３の一方の面に実装され第２のゴム部材９１にその発光部を向けている第２の発光素子９４の実装位置は、配線基板９３の他方の面に実装され第１のゴム部材９２にその発光部を向けている第１の発光素子９４の実装位置に表裏対応している。第１、第２の発光素子９４としては、発光ダイオード以外にも有機、無機ＥＬ（Electro Luminescence）素子や小型電球であってもよい。
【００４８】
また、第２のゴム部材９１と配線基板９３との間にはレンズ９５が配設されている。
【００４９】
第２のゴム部材９１はその裏面を図１６に示す凹部９６の底面に支持させて凹部９６に嵌め込まれる。第２のゴム部材９１の導光部９１ａは凹部９６の底面に形成された貫通孔９７を貫いて、図１５に示すように、先端面が第２の発光素子９４との間にわずかの間隙をあけて対向する。第２のゴム部材９１は凹部９６に嵌められた状態で入力操作板５の内表面とは面一とならずに内表面から少し突き出る。
【００５０】
第１のゴム部材９２はその裏面を図１７に示すゴム部材取付板９９に支持させて貫通孔９８に嵌め込まれる。第１のゴム部材９２の導光部９２ａはゴム部材取付板９９に形成された貫通孔９９ａを貫いて、図１５に示すように、先端面が第１の発光素子９４との間にわずかの間隙をあけて対向する。また、第１のゴム部材９２の突部９２ｂはゴム部材取付板９９に形成された貫通孔９９ｂに係合され、これにより第１のゴム部材９２の抜け止めがなされる。第１のゴム部材９２は貫通孔９８に嵌められた状態で入力操作板５の外表面とは面一とならずに外表面から少し突き出る。
【００５１】
（入力操作板の開閉動作）
図４及び図６は、入力操作板５が閉位置にある状態を示す。入力操作板５の湾曲した後壁部１２は表示装置２の下端部（後壁部１２と同様に湾曲している）を覆い、後壁部１２に続く板状部８１は表示画面６に重なっている。板状部８１は表示画面６の全面を覆うので、枠部材６６の上部６８をつかんで電子機器１を持ち運ぶときや、非使用時に電子機器１を収納しておく場合などに表示画面６保護を行える。
【００５２】
入力操作板５が閉じられた状態で、更に支持部材３を表示装置２の背面側に寄せるように表示装置２と支持部材３との開き角度を小さくすれば、電子機器１の奥行き寸法が小さくされてスリムになるので、例えば壁などに立てかけた状態で置けば、非使用時の置き場所をとらない。
【００５３】
図１に示すように、表示装置２の正面側において表示画面６から外れた左右の側縁部寄りの箇所にロック金具８２が突設されている。そのロック金具８２に、入力操作板５の側縁部寄りの箇所に形成された係合孔８３内に設けられたロックレバー（図示せず）が係合することで、入力操作板５の閉状態が保持される。係合孔８３の脇に設けられた解除ボタン８４を押すことで、ロック金具８２とロックレバーとの係合は解除される。
【００５４】
また、入力操作板５の内表面において前端部寄りの箇所に設けられた第２のゴム部材９１は、閉状態では、互いに向き合わされた入力操作板５の内表面の前端部寄りの部分と、表示装置２の正面部上端部寄りの部分との間に介在されて、それら両者の間に間隙が確保され、閉状態で表示画面６にキー８がぶつからないようにしている。もちろん、第２のゴム部材９１は、表示装置２の正面部の上端部寄りの部分に対する、入力操作板５の内表面の前端部寄りの部分の直接のぶつかり衝撃を緩和する機能も有する。
【００５５】
更に、その閉状態で、入力操作板５の外表面に設けられた第１のゴム部材９２に対向する第１の発光素子９４（図１５参照）が発光すれば、透光性の第１のゴム部材９２を通して入力操作板５の外表面から外部に発光される。これにより、使用者は入力操作板５が閉じた状態であっても、電源ランプの点灯を確認でき電源の切り忘れを確認できる。あるいは、意図的に電源を入れたままにしてメール着信などの確認も行える。
【００５６】
第１のゴム部材９２の導光部９２ａは、導光部９２ａとその周囲の空気との屈折率の差を利用して、発光素子９４配置個所以外に発光素子９４からの光が広がることを抑えて、入力操作板５の外表面上から突出した第１のゴム部材９２における発光素子９４配置位置に対応する部分に効率的に光を導くためのレンズの役割を果たす。
【００５７】
入力操作板５の板状部８１を手前側に降ろすようにして（図７参照）、上述したヒンジ部材１３を介して表示装置２の背面に連結された後端部９ａ、９ｂを中心に入力操作板５を回動させると、板状部８１がキートップ面を上に向けた状態で表示装置２の下端部と設置面との間に広げられ、表示画面６の前方に展開される開状態となる。これにより、使用者のキー８を叩いての入力操作が可能となる。
【００５８】
このとき、回動中心である入力操作板５の後端部９ａ、９ｂが表示装置２の背面に連結されて、回動中心が表示装置２の後方に回り込んでいるので、入力操作板５の開位置への回動に伴って、入力操作板５において後端部寄りの部分が表示装置２の後方へと引っ込む。
【００５９】
すなわち、閉位置では表示装置２の前面に重なっている図６においてクロスハッチングで示す部分が、展開時には図８に示すように表示装置２の後方へと延出する。これにより、展開時における表示画面６前方への入力操作板５の突出長さを抑えることができ、使用時の設置面積の省スペース化が図れる。
【００６０】
上記クロスハッチングで示した部分は、入力操作板５の展開動作に伴って弧を描くようにして、表示装置２の下方を通り抜けて表示装置２の後方へと移動するので、表示装置２の下端部と設置面との間にはその移動を許容するための空間が上述した枠部材６６の下部６９によって確保されている。
【００６１】
また、入力操作板５の後端部９ａ、９ｂが、表示装置２の下端部よりも上方に位置する背面に連結されているので、展開された状態では後端部９ａ、９ｂから前端部に向けて若干下向き傾斜する。したがって、展開された状態で入力操作板５が自然にそのキートップ面が使用者の方に近づくように傾斜されるので、キー８の操作性が向上する。
【００６２】
また、入力操作板５において、第２のゴム部材９１の設置箇所の裏側に対応する位置には図４に示すように第１のゴム部材９２が取り付けられている。展開時には、その第１のゴム部材９２が設置面と接触することによって設置面と入力操作板５とのぶつかり衝撃を緩和する。
【００６３】
この開状態で、入力操作板５の内表面に設けられた第２のゴム部材９１に対向する第２の発光素子９４（図１５参照）が発光すれば、透光性の第２のゴム部材９１を通して入力操作板５の内表面から外部に発光される。これにより、使用者はバッテリの消耗状態やメール着信などの確認を行える。
【００６４】
第２のゴム部材９１の導光部９１ａは、導光部９１ａとその周囲の空気との屈折率の差を利用して、発光素子９４配置個所以外に発光素子９４からの光が広がることを抑えて、入力操作板５の内表面上から突出した第２のゴム部材９１における発光素子９４配置位置に対応する部分に効率的に光を導くためのレンズの役割を果たす。
【００６５】
更に、第２のゴム部材９１は、第１のゴム部材９２に比べて配線基板９３との距離が大きいので、第２のゴム部材９１と配線基板９３との間に別途レンズ９５が配設され、発光素子９４からの光をより効率的に収束させて第２のゴム部材９１へと導くようにしている。
【００６６】
また、入力操作板５内には機器本体として機能するメインボードやディスク装置などが内蔵されず、それらは表示装置２に内蔵されており、入力操作板５の薄型化が図られているので、展開したときに前端部の中央が設置面上から浮くようなたわみを生じやすい。したがって、入力操作板５の外表面前端部寄りの中央に設けられた上記第１のゴム部材９２があることによって、キー８を叩く入力操作に伴う入力操作板５と設置面との衝突衝撃を緩和できる。
【００６７】
また、発光素子９４の光が導出される部分を例えば第２のゴム部材９１の配設された前端部の中央から端の方へずらして設けるとなると、キー８の操作をする際に両手で隠れてしまうおそれがあるが、本実施形態では第２のゴム部材９１の配設箇所に設けているので、キー操作を行っている最中であっても、バッテリの消耗状態やメールの着信通知などを発光素子９４の発光によって確認できる。
【００６８】
以上、本発明の実施形態について説明したが、勿論、本発明はこれに限定されることなく、本発明の技術的思想に基づいて種々の変形が可能である。
【００６９】
第１のゴム部材９１及びこの設置個所に内蔵される発光素子９４は、入力操作板５にではなく、閉状態でその入力操作板５に向き合わされる表示装置２の正面部に設けてもよい。
【００７０】
また、本発明は、図１８に示される一般のノートブック型コンピュータのように、設置面上に載置される本体１０５に対して、蓋体である表示装置１０１が開閉される構造の電子機器にも適用可能である。
【００７１】
本体１０５はメインボードやディスク装置などを内蔵し、その表面にはキーボード１０４を有している。この本体１０５に対して、表示画面１０２を有する表示装置１０１はヒンジ部材１０３を介して開閉自在に連結されている。
【００７２】
そして、表示装置１０１の上縁部において、横方向に関してのほぼ中央位置に透光性を有するゴム部材１０６が設けられている。更に、このゴム部材１０６設置箇所の内方に発光素子が内蔵されている。これにより、表示装置１０１を本体１０５に閉じた際にはゴム部材１０６によって両者の衝突衝撃が緩和され、図示の開状態では、発光素子からの光がゴム部材１０６を通して商事装置１０１の正面側に導出される。また、表示装置１０１の外表面（表示画面１０２の反対面）側にゴム部材を設け、このゴム部材設置箇所の内方に発光素子を内蔵させてもよい。
【００７３】
電子機器としては、その他に、ＰＤＡ（Personal Digital Assistants）、携帯電話機、更には、本体に対して例えば液晶表示パネルを備えた表示装置が蓋体として開閉される構造のビデオカメラやデジタルスチルカメラなどであってもよい。
【図面の簡単な説明】
【００７４】
【図１】本発明の実施形態に係る電子機器の開状態における正面図である。
【図２】同電子機器の開状態における側面要部の斜視図である。
【図３】同電子機器の開状態における背面側から見た斜視図である。
【図４】同電子機器の閉状態における正面図である。
【図５】同電子機器の閉状態における背面側から見た斜視図である。
【図６】同電子機器の閉状態における斜視図である。
【図７】図６の状態から入力操作板が開き始めた状態の斜視図である。
【図８】同電子機器の開状態における斜視図である。
【図９】図８の状態を背面側から見た斜視図である。
【図１０】同電子機器の入力操作板の斜視図である。
【図１１】図１０から筐体が取り除かれた状態の図である。
【図１２】図１１における要部の拡大斜視図である。
【図１３】同電子機器の表示装置の背面要部の拡大斜視図である。
【図１４】図１３の表示装置に入力操作板が連結された状態を示す図である。
【図１５】発光素子及び緩衝用ゴム部材の配設箇所の内部構造図である。
【図１６】入力操作板の内表面前端部における第２のゴム部材配設箇所の拡大図である。
【図１７】入力操作板の外表面前端部における第１のゴム部材配設箇所の拡大図である。
【図１８】変形例による電子機器の正面側から見た斜視図である。
【符号の説明】
【００７５】
１…電子機器、２…表示装置、３…支持部材、５…入力操作板、６…表示画面、９ａ，９ｂ…入力操作板の後端部、１２…入力操作板の後壁部、１３…ヒンジ部材、６６…枠部材、９１…第２のゴム部材、９１ａ…導光部、９２…第１のゴム部材、９２ａ…導光部、９３…配線基板、９４…発光素子。
【図１】
2005084724.tif 000003
【図２】
2005084724.tif 000004
【図３】
2005084724.tif 000005
【図４】
2005084724.tif 000006
【図５】
2005084724.tif 000007
【図６】
2005084724.tif 000008
【図７】
2005084724.tif 000009
【図８】
2005084724.tif 000010
【図９】
2005084724.tif 000011
【図１０】
2005084724.tif 000012
【図１１】
2005084724.tif 000013
【図１２】
2005084724.tif 000014
【図１３】
2005084724.tif 000015
【図１４】
2005084724.tif 000016
【図１５】
2005084724.tif 000017
【図１６】
2005084724.tif 000018
【図１７】
2005084724.tif 000019
【図１８】
2005084724.tif 000020